(57)【要約】【課題】停電が発生してもエレベータの動作を正常に保つことができるエレベータの監視装置の提供。【解決手段】交流商用電源１からの電源の遮断を検出する停電検出装置８と、停電検出装置８によって電源の遮断が検出されたときに、交流商用電源１の代わりに使用する電力を蓄える蓄電設備６と、エレベータの動作を制御するエレベータ制御装置３と、停電時救出運転を行う停電時救出運転装置７と、エレベータの異常を検出する監視部１０とを備えたエレベータの監視装置において、停電検出装置８によって電源の遮断が検出されてから経過した時間を計測するタイマ１１Ａと、タイマ１１Ａによって計測された時間が所定の時間Ｔに達したときに、エレベータ制御装置３へ供給する電源の供給元を交流商用電源１から蓄電設備６へ切替えるエレベータ電源切替装置４とを備えた。【選択図】図１
2014084215.tif 000002
【特許請求の範囲】
【請求項１】
エレベータを含む建物の設備へ電源を供給する交流商用電源と、この交流商用電源によって供給される電源の遮断を検出する停電検出装置と、この停電検出装置によって前記交流商用電源からの電源の遮断が検出されたときに、前記交流商用電源の代わりに使用する電力を蓄える蓄電設備と、前記エレベータの動作を制御するエレベータ制御装置と、このエレベータ制御装置へ供給される電源の遮断を検出したときに、前記エレベータの乗りかごを最寄階へ移動させる停電時救出運転を行う停電時救出運転装置と、前記エレベータ制御装置に接続され、前記エレベータの異常を検出する監視部とを備えたエレベータの監視装置において、
前記停電検出装置によって前記交流商用電源からの電源の遮断が検出されてから経過した時間を計測する計時部と、
この計時部によって計測された時間が所定の時間に達したときに、前記エレベータ制御装置へ供給する電源の供給元を前記交流商用電源から前記蓄電設備へ切替える切替部とを備えたことを特徴とするエレベータの監視装置。
【請求項２】
請求項１に記載のエレベータの監視装置において、
前記所定の時間は、前記エレベータ制御装置へ供給する電源の遮断が検出されてから前記停電時救出運転装置の動作が完了するまでにかかる時間以上に設定されたことを特徴とするエレベータの監視装置。
【発明の詳細な説明】
【技術分野】
【０００１】
本発明は、エレベータの異常を監視するエレベータの監視装置に係り、特に停電時のエレベータの運転に好適なエレベータの監視装置に関する。
【背景技術】
【０００２】
従来より、建物に設置されるエレベータは、主に交流商用電源から電源が制御回路や駆動回路に供給されて動作しているが、この交流商用電源からの電源が停電によって遮断されたときに、走行中の乗りかごが通常ではドアが開かない各階床間に停止しても、予め設けられた蓄電池の電力で乗りかごを最寄階へ移動させてドアを開放することにより、乗りかご内に閉じ込められた乗客を救出する停電時救出運転を行うようにしている。例えば、このような停電時の閉じ込めを防止する停電時救出運転装置に関する従来技術の１つとして、特許文献１に示す交流エレベータの非常用自動着床装置が知られている。
【０００３】
また、建物にはエレベータの他に水道、照明、防犯装置等の設備が設けられており、これらの設備もエレベータと同様に交流商用電源から電源が供給されている。そのため、交流商用電源からの電源が遮断された場合には、建物の設備が使用できない状態になるので、このような場合でもライフラインをある程度確保できるように、エレベータを含む建物の設備の電源の供給元として蓄電設備が設けられており、交流商用電源からの電源が復電するまでの間、蓄電設備の電力が建物の設備に使用されるようになっている。
【先行技術文献】
【特許文献】
【０００４】
【特許文献１】特開平２−１９８９９４号公報
【発明の概要】
【発明が解決しようとする課題】
【０００５】
特許文献１に開示された従来技術の交流エレベータの非常用自動着床装置のような停電時救出運転装置が設けられたエレベータでは、停電が発生して交流商用電源からの電源が遮断されると、上述したように蓄電池の電力によって停電時救出運転装置による停電時救出運転が行われる。このとき、エレベータを含む建物の設備に蓄電設備から電源が供給されることにより、停電時救出運転装置は、交流商用電源からの電源の遮断を検出して停電時救出運転を行っているにも拘らず、蓄電池の他に蓄電設備からも電源の供給を重複して受けることになるので、誤作動を招いて非常停止する虞がある。
【０００６】
本発明は、このような従来技術の実情からなされたもので、その目的は、停電が発生してもエレベータの動作を正常に保つことができるエレベータの監視装置を提供することにある。
【課題を解決するための手段】
【０００７】
上記の目的を達成するために、本発明のエレベータの監視装置は、エレベータを含む建物の設備へ電源を供給する交流商用電源と、この交流商用電源によって供給される電源の遮断を検出する停電検出装置と、この停電検出装置によって前記交流商用電源からの電源の遮断が検出されたときに、前記交流商用電源の代わりに使用する電力を蓄える蓄電設備と、前記エレベータの動作を制御するエレベータ制御装置と、このエレベータ制御装置へ供給される電源の遮断を検出したときに、前記エレベータの乗りかごを最寄階へ移動させる停電時救出運転を行う停電時救出運転装置と、前記エレベータ制御装置に接続され、前記エレベータの異常を検出する監視部とを備えたエレベータの監視装置において、前記停電検出装置によって前記交流商用電源からの電源の遮断が検出されてから経過した時間を計測する計時部と、この計時部によって計測された時間が所定の時間に達したときに、前記エレベータ制御装置へ供給する電源の供給元を前記交流商用電源から前記蓄電設備へ切替える切替部とを備えたことを特徴としている。
【発明の効果】
【０００８】
本発明のエレベータの監視装置によれば、停電が発生してもエレベータの動作を正常に保つことができる。前述した以外の課題、構成及び効果は、以下の実施形態の説明により明らかにされる。
【図面の簡単な説明】
【０００９】
【図１】本発明に係るエレベータの監視装置の一実施形態の構成を示す図である。
【図２】本実施形態の動作を説明するフローチャートである。
【発明を実施するための形態】
【００１０】
以下、本発明に係るエレベータの監視装置を実施するための形態を図に基づいて説明する。
【００１１】
本発明に係るエレベータの監視装置の一実施形態は、例えば図１に示すようにエレベータを含む水道、照明、防犯装置等の建物の設備（図示せず）へ電源を供給する交流商用電源１と、建物の敷地内に設けられ、交流商用電源１によって供給される電源を分電する分電盤２とを備えている。なお、交流商用電源１は、例えば電力会社から送電され、接続された装置に一定の周波数の交流電圧を出力する３相交流の電源である。
【００１２】
分電盤２は、例えば一次側が交流商用電源１に接続され、開閉することによって交流商用電源１の接続状態を制御する一次側開閉器２ａと、二次側が建物の設備の各装置に接続され、開閉することによって各装置の接続状態を制御する複数の二次側開閉器２ｂ〜２ｎとを有している。
【００１３】
本実施形態は、交流商用電源１によって供給される電源の遮断を検出する停電検出装置８を備えており、この停電検出装置８は、例えば分電盤２内に格納され、交流商用電源１の停電や一次側開閉器２ａの開放によって交流商用電源１からの電源の遮断を検出したときに停電検出信号を出力し、交流商用電源１の復電や一次側開閉器２ａが閉じることによって交流商用電源１からの電源の復電を検出したときに復電検出信号を出力するようにしている。
【００１４】
また、本実施形態は、エレベータの動作を制御するエレベータ制御装置３と、このエレベータ制御装置３へ供給される電源の遮断を検出したときに、エレベータの乗りかご（図示せず）を最寄階へ移動させる停電時救出運転を行う停電時救出運転装置７と、この停電時救出運転装置７による停電時救出運転に使用される電力を蓄える蓄電池（図示せず）とを備えている。
【００１５】
従って、仮に交流商用電源１からエレベータ制御装置３へ供給される電源が遮断され、走行中の乗りかごが通常ではドア（図示せず）が開かない各階床間に停止しても、停電時救出運転装置７が蓄電池の電力によって停電時救出運転を行うことにより、停止した乗りかごが動き出して最寄階へ移動し、ドアが開放されるようになっている。
【００１６】
本実施形態は、停電検出装置８によって交流商用電源１からの電源の遮断が検出されたときに、交流商用電源１の代わりに使用する電力を蓄える蓄電設備６と、エレベータ制御装置３へ供給する電源の供給元を交流商用電源１から蓄電設備６へ切替えるエレベータ電源切替装置４と、分電盤２の二次側開閉器２ｂ〜２ｎのうち例えば二次側開閉器２ｎ、蓄電設備６、及びエレベータ電源切替装置４に接続され、交流商用電源１から送電された交流を直流に変換して蓄電設備６を充電すると共に、蓄電設備６から取出した直流を交流に変換してエレベータ電源切替装置４へ出力する電力変換装置５とを備えている。
【００１７】
上述した非常時の電源の供給を行う蓄電設備６は、例えば複数個の蓄電池から構成されており、分電盤２と同様に建物の敷地内に設置されている。そして、蓄電設備６は、停電検出装置８によって交流商用電源１からの電源の遮断が検出されたときに、エレベータ制御装置３の他に水道、照明、防犯装置等の建物の設備に電源の供給を行うようにしている。
【００１８】
本実施形態は、エレベータ制御装置３に接続され、エレベータの異常を検出する監視部１０を備えており、この監視部１０は、例えばエレベータ制御装置３、エレベータ電源切替装置４、電力変換装置５、及び停電検出装置８に接続され、これらの各装置と各種の信号の入出力を行う入出力装置１２と、この入出力装置１２によって入力された信号に対して対応する処理動作を行う制御部１１と、この制御部１１が実行する動作プログラムを少なくとも記憶する記憶装置１３とを有している。
【００１９】
ここで、監視部１０は、例えば図示されないが遠隔的にエレベータを監視する監視センターに通信回線を介して接続されており、制御部１１がエレベータを含む建物の設備から入出力装置１２を介して異常を検出すると、建物の設備に異常が発生した旨を監視センターに通報するようにしている。この監視センターは、例えば監視部１０から建物の設備に異常が発生した旨の通報を受けると、建物の設備の復旧作業を行う作業員を当該建物へ派遣するようにしている。
【００２０】
本実施形態は、停電検出装置８によって交流商用電源１からの電源の遮断が検出されてから経過した時間を計測する計時部、例えばタイマ１１Ａと、このタイマ１１Ａによって計測された時間が所定の第１時間Ｔに達したときに、エレベータ制御装置３へ供給する電源の供給元を交流商用電源１から蓄電設備６へ切替える切替部とを備えており、この切替部は、例えば上述のエレベータ電源切替装置４から成っている。
【００２１】
具体的には、タイマ１１Ａは、例えば監視部１０内に設けられ、制御部１１に接続されており、制御部１１が入出力装置１２を介して停電検出信号を入力したときに時間の計測を開始し、計測した時間が所定の第１時間Ｔに達したときにその旨を通知する経過信号を制御部１１へ出力するようにしている。
【００２２】
制御部１１は、タイマ１１Ａから経過信号を入力すると、蓄電設備６から取り出される直流を交流に変換する放電切替指令信号を電力変換装置５に対して出力すると共に、エレベータ制御装置３へ供給する電源の供給元を交流商用電源１から蓄電設備６へ切替える停電時電源切替指令信号をエレベータ電源切替装置４に対して出力するようにしている。
【００２３】
従って、電力変換装置５は、監視部１０の制御部１１から放電切替指令信号を入力すると、蓄電設備６から取り出した直流を交流に変換してエレベータ電源切替装置４へ出力するようにしている。また、エレベータ電源切替装置４は、例えば出力側がエレベータ制御装置３に接続され、開閉することによって入力側の接続状態を分電盤２の開閉器２ｂ〜２ｎのうち開閉器２ｂ又は電力切替装置５に切替える電源切替開閉器４ａを有している。
【００２４】
この電源切替開閉器４ａは、例えば監視部１０の制御部１１から停電時電源切替指令信号を入力したときに、開くことによって入力側の接続状態を分電盤２の開閉器２ｂから電力切替装置５に切替えるようにしており、電源切替開閉器４ａの入力側が分電盤２の開閉器２ｂから離れて電力切替装置５に接続されることにより、蓄電設備６からエレベータ制御装置３へ電源の供給が行われるようになっている。
【００２５】
また、制御部１１は、上述した放電切替指令信号や停電時電源切替指令信号の他に、エレベータ制御装置３、エレベータ電源切替装置４、電力変換装置５、及び停電検出装置８から入力する信号に応じて、例えばエレベータの運転を通常運転から停止運転に切替える停電運転指令信号、エレベータの運転を休止させる休止指令信号、交流商用電源１から送電された交流を直流に変換して蓄電設備６の充電を行う充電切替指令信号、エレベータ制御装置３へ供給する電源の供給元を蓄電設備６から交流商用電源１へ切替える通常時電源切替指令信号、及びエレベータの運転休止状態を解除してエレベータを通常運転させる通常運転指令信号等を出力するようにしている。なお、エレベータ制御装置３は、エレベータの運転を休止させたときにその旨を通知する休止完了信号を監視部１０の制御部１１に対して出力するようにしている。
【００２６】
さらに、本実施形態は、タイマ１１Ａが時間を計測してから制御部１１へ経過信号を出力する際の基準となる上述の所定の第１時間Ｔは、例えばエレベータ制御装置３へ供給する電源の遮断が検出されてから停電時救出運転装置７の動作が完了するまでにかかる時間以上に設定されている。
【００２７】
次に、本発明に係るエレベータの監視装置の一実施形態の動作を図２のフローチャートに基づいて詳細に説明する。
【００２８】
図２は本実施形態の動作を説明するフローチャートである。
【００２９】
本実施形態では、エレベータ制御装置３はエレベータの動作を制御することにより、エレベータに異常がなく正常に動作すれば、監視部１０がエレベータの異常を検出しないので、エレベータ制御装置３はエレベータの通常運転を実施する（ステップ（以下、Ｓと記す）１）。
【００３０】
次に、停電検出装置８は、交流商用電源１の停電や分電盤２の一次側開閉器２ａの開放によって交流商用電源１からの電源の遮断を確認し、分電盤２が通電状態にあるかどうかを判断する（Ｓ２）。このとき、停電検出装置８によって分電盤２が通電状態にあると判断された場合には、停電時救出運転装置７は、エレベータの乗りかごが走行しているときにエレベータ制御装置３の電源の供給が遮断されたかどうか、すなわち乗りかごの走行時におけるエレベータ制御装置３の停電発生の有無を確認する（Ｓ３）。
【００３１】
手順Ｓ３において停電時救出運転装置７は、乗りかごの走行時におけるエレベータ制御装置３の停電が発生していないことを確認すると、エレベータ制御装置３は通電状態であるので、手順Ｓ１の動作に戻ってエレベータ制御装置３はエレベータの通常運転を継続する。一方、手順Ｓ３において停電時救出運転装置７は、乗りかごの走行時におけるエレベータ制御装置３の停電が発生したことを確認すると、エレベータ制御装置３の停電が発生してから経過した時間を計数する。
【００３２】
停電時救出運転装置７は、計数した時間が所定の第２時間、例えば３秒になるまで待機し（Ｓ４）、計数した時間が３秒になると、ドアの開放が可能である位置に乗りかごが停止したかどうかを判断する（Ｓ５）。このとき、停電時救出運転装置７は、ドアの開放が可能である位置に乗りかごが停止していないと判断すると、停電時救出運転を行って乗りかごを最寄階へ移動させ（Ｓ６）、手順Ｓ５の動作に戻る。
【００３３】
一方、手順Ｓ５の動作において停電時救出運転装置７は、ドアの開放が可能である位置に乗りかごが停止したと判断すると、ドアを開放すると共に、ドアを開放してから経過した時間を計数する。そして、停電時救出運転装置７は、計数した時間が所定の第３時間、例えば３０秒になるまでドアを開放した状態で待機し、計数した時間が３０秒になると、ドアを閉扉して乗りかごの照明を消灯した後、エレベータの運転を休止させ（Ｓ７）、エレベータ制御装置３への電源の供給が復旧したかどうかを確認する（Ｓ８）。
【００３４】
手順Ｓ８において停電時救出運転装置７は、エレベータ制御装置３への電源の供給が復旧したことを確認すると、停電時救出運転を解除し、手順Ｓ１の動作に戻ってエレベータ制御装置３がエレベータの通常運転を実施する。
【００３５】
手順Ｓ２において停電検出装置８によって分電盤２が通電状態にないと判断されたり、あるいは手順Ｓ８において停電時救出運転装置７がエレベータ制御装置３への電源の供給が復旧していないことを確認した場合には、停電検出装置８が停電検出信号を監視部１０へ出力する。そして、監視部１０の制御部１１が停電検出装置８から入出力装置１２を介して停電検出信号を入力すると、制御部１１はタイマ１１Ａを起動し、タイマ１１Ａが時間の計測を開始する。
【００３６】
ここで、手順Ｓ６においてドアの開放が可能でない各階床間の位置から最寄階までの乗りかごの運転時間は、乗りかごが毎分６ｍの速度で走行すると仮定すると、１階床分の半分の距離（１階床間の距離が１２ｍ以上の建物は少ない）を走行する１分となる。
【００３７】
従って、停電時救出運転装置７が手順Ｓ３において乗りかごの走行時におけるエレベータ制御装置３の停電が発生したことを確認してから手順Ｓ７においてエレベータの運転を休止させるまでの時間、すなわちエレベータ制御装置３へ供給する電源の遮断が検出されてから停電時救出運転装置７の動作が完了するまでにかかる時間は、手順Ｓ４において計測する３秒と、手順Ｓ６においてドアの開放が可能でない各階床間の位置から最寄階までの運転時間である１分と、手順Ｓ７において乗りかごが最寄階へ到着してからエレベータの運転を休止させるまでの３０秒強とを加算しても２分より少ない時間である。
【００３８】
そこで、本実施形態は、タイマ１１Ａが時間を計測してから制御部１１へ経過信号を出力する際の基準となる上述の所定の第１時間Ｔを例えば２分に設定している。そのため、タイマ１１Ａが計測した時間が２分に達すると（Ｓ９）、タイマ１１Ａは経過信号を制御部１１へ出力する。
【００３９】
制御部１１は、タイマ１１Ａから経過信号を入力すると、電力変換装置５に対して放電切替指令信号を出力すると共に、エレベータ電源切替装置４に対して停電時電源切替指令信号を出力する。その後、制御部１１は、エレベータ制御装置３に対して停電運転指令信号を出力する。
【００４０】
電力変換装置５は、監視部１０の制御部１１から放電切替指令信号を入力すると、蓄電設備６から取り出した直流を交流に変換してエレベータ電源切替装置４へ出力する。また、エレベータ電源切替装置４は、制御部１１から停電時電源切替指令信号を入力すると、電源切替開閉器４ａを開いてエレベータ制御装置３への電源の供給を交流商用電源１から蓄電設備６に切替える（Ｓ１０）。
【００４１】
次に、エレベータ制御装置３は、蓄電設備６から電力変換装置５及びエレベータ電源切替装置４を介して電源が供給され、制御部１１から入出力装置１２を介して停電運転指令信号を入力すると、予め設定されたエレベータの停電運転を実施する（Ｓ１１）。そして、停電検出装置８は、交流商用電源１の復電や分電盤２の一次側開閉器２ａが閉じることで交流商用電源１からの電源の復電を確認することにより、分電盤２が停電状態にあるかどうかを判断する（Ｓ１２）。
【００４２】
このとき、停電検出装置８は、分電盤２が停電状態にあると判断した場合には、手順Ｓ１０の動作に戻る。一方、手順Ｓ１２において停電検出装置８は、分電盤２が停電状態にないと判断した場合には、監視部１０の制御部１１に対して復電検出信号を出力する。次に制御部１１は、停電検出装置８から入出力装置１２を介して復電検出信号を入力すると、エレベータ制御装置３に対して休止指令信号を出力する（Ｓ１３）。
【００４３】
次に、エレベータ制御装置３は、制御部１１から休止指令信号を入力したときに、乗りかごが走行していれば、乗りかごをドアの開放が可能である最寄階へ移動して停止させ、乗りかごが最寄階に停止した後に既に登録されている行先階登録や乗場呼び登録を全て破棄し、ドアを開放すると共に、ドアを開放してから経過した時間を計数する。
【００４４】
そして、エレベータ制御装置３は、計数した時間が所定の第４時間、例えば３０秒になるまでドアを開放した状態で待機し、計数した時間が３０秒になると、ドアを閉扉して乗りかごの照明を消灯した後、エレベータの運転を休止させ（Ｓ１４）、監視部１０の制御部１１に対して休止完了信号を出力する。制御部１１は、エレベータ制御装置３からの休止完了信号の入力の有無に基づいて、エレベータが運転休止状態になったかどうかを判断する（Ｓ１５）。このとき、制御部１１は、エレベータが運転休止状態になっていないと判断すると、手順Ｓ１４の動作に戻る。
【００４５】
一方、手順Ｓ１５において制御部１１は、エレベータが運転休止状態になったと判断すると、電力変換装置５に対して充電切替指令信号を出力すると共に、エレベータ電源切替装置４に対して通常時電源切替指令信号を出力する。電力変換装置５は、監視部１０の制御部１１から充電切替指令信号を入力すると、交流商用電源１から分電盤２を介して送電された交流を直流に変換して蓄電設備６を充電する。
【００４６】
また、エレベータ電源切替装置４は、制御部１１から通常時電源切替指令信号を入力すると、電源切替開閉器４ａを閉じてエレベータ制御装置３への電源の供給を蓄電設備６から交流商用電源１に切替える（Ｓ１６）。その後、監視部１０の制御部１１は、入出力装置１２を介してエレベータ制御装置３に対して通常運転指令信号を出力する。そして、エレベータ制御装置３は、制御部１１から入出力装置１２を介して通常運転指令信号を入力すると、エレベータの通常運転を実施し（Ｓ１７）、本実施形態の動作を終了する。
【００４７】
このように構成した本実施形態によれば、監視装置１０の制御部１１は、分電盤２内の停電検出装置８が交流商用電源１からの電源の遮断を検出しても、タイマ１１Ａで計測した時間が所定の第１時間Ｔである２分に達してからエレベータ電源切替装置４の開閉器４ａを開いてこの開閉器４ａの入力側を電力変換装置５に接続させ、蓄電設備６から電力変換装置５及びエレベータ電源切替装置４を経由してエレベータ制御装置３へ電源を供給することにより、停電時救出運転装置７が停電時救出運転を行っているときに蓄電池の他に蓄電設備６からも電源の供給を重複して受けることを回避することができる。これにより、エレベータが誤作動を招いて非常停止することを抑えることができるので、停電が発生してもエレベータの動作を正常に保つことができる。
【００４８】
また、本実施形態は、タイマ１１Ａが時間を計測してから制御部１１へ経過信号を出力する際の基準となる所定の第１時間Ｔを、エレベータ制御装置３へ供給する電源の遮断が検出されてから停電時救出運転装置７の動作が完了するまでにかかる時間の２分に設定することにより、蓄電設備６からエレベータ制御装置３への電源の供給の開始を十分に遅らせるようにしたので、エレベータの誤作動を防止しつつエレベータの動作を円滑に行うことができる。これにより、停電時におけるエレベータの動作の安定性を向上させることができる。
【００４９】
また、本実施形態は、監視装置１０の制御部１１は、交流商用電源１からの電源の供給が再開されても、エレベータの停電運転を実施しているエレベータ制御装置３に対して休止指令信号を出力してエレベータの運転を休止させた後に、交流商用電源１から分電盤２及びエレベータ電源切替装置４を経由してエレベータ制御装置３へ電源を供給し、エレベータ制御装置３にエレベータの通常運転を実施させるようにしたので、蓄電設備６から電源を供給して行われるエレベータの停電運転の実施と交流商用電源１から電源を供給して行われるエレベータの通常運転の実施が重複することを回避することができる。これにより、復電時においてもエレベータの動作の高い安定性を確保することができる。
【００５０】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５１】
また、本実施形態は、停電時救出運転装置７が手順Ｓ３において乗りかごの走行時におけるエレベータ制御装置３の停電が発生したことを確認してから手順Ｓ７においてエレベータの運転を休止させるまでの時間が２分より少ないので、タイマ１１Ａが時間を計測してから制御部１１へ経過信号を出力する際の基準となる所定の第１時間Ｔを２分に設定した場合について説明したが、この場合に限らず、所定の第１時間Ｔはエレベータが停止する階床間の距離に応じて適宜変更しても良い。
【００５２】
また、本実施形態は、停電時救出運転装置７が設けられたエレベータに適用されるものであるが、この停電時救出運転装置７はエレベータのオプションとして設けられるものであるので、全てのエレベータに設置されるとは限らない。このようなことを考慮して、本実施形態に係る制御部１１は、タイマ１１Ａが時間を計測して出力された経過信号に基づいて、停電検出装置８によって出力された停電検出信号を入力してからエレベータ制御装置３に対して停電運転指令信号を出力するまでの時間を所定の第１時間Ｔだけ遅らせるようにしているので、この所定の第１時間Ｔを調整することにより、エレベータに停電時救出運転装置７が設置されているかどうかに拘わらず、同一の制御で対応することができる。
【００５３】
特に、本実施形態は、交流商用電源１の電源が遮断されてからエレベータが停電運転を開始するまでに２分かかることになるが、仮にエレベータに停電時救出運転装置７が設置されていなくても、所定の第１時間Ｔを例えば０秒や０秒近傍に設定することにより、エレベータの停電運転への移行を迅速に行うことができるので、高い利便性を確保することができる。
【００５４】
また、本実施形態は、電力変換装置５に対して蓄電設備６から取り出される直流を交流に変換させるために、監視部１０の制御部１１が放電切替指令信号を電力変換装置５へ出力した場合について説明したが、この場合に限らず、停電検出装置８が制御部１１の代わりに放電切替指令信号を電力変換装置５へ出力してもよい。
【符号の説明】
【００５５】
１  交流商用電源
２  分電盤
２ａ  一次側開閉器
２ｂ〜２ｎ  二次側開閉器
３  エレベータ制御装置
４  エレベータ電源切替装置
４ａ  電源切替開閉器
５  電力変換装置
６  蓄電設備
７  停電時救出運転装置
８  停電検出装置
１０  監視部
１１  制御部
１１Ａ  タイマ（計時部）
１２  入出力装置
１３  記憶装置
【図１】
2014084215.tif 000003
【図２】
2014084215.tif 000004